(57)【要約】【課題】コンセントの設置場所の管理者の負担を増加させることなく、コンセントから車両に供給された電力の料金を管理者に課金できる技術を提供する。【解決手段】管理サーバ１８において、第１取得部５０は、電力供給者と、当該電力供給者から電力が供給されるコンセントの設置場所の管理者との間の電力供給に関する契約情報を取得する。第２取得部５２は、コンセントから供給される電力によるユーザの車両の充電実績情報を取得する。導出部５４は、第１取得部５０で取得された契約情報と、第２取得部５２で取得された充電実績情報とにもとづいて、管理者への支払額を導出する。【選択図】図２
2019204159.tif 000002
【特許請求の範囲】
【請求項１】
電力供給者と、当該電力供給者から電力が供給されるコンセントの設置場所の管理者との間の電力供給に関する契約情報を取得する第１取得部と、
前記コンセントから供給される電力によるユーザの車両の充電実績情報を取得する第２取得部と、
前記第１取得部で取得された前記契約情報と、前記第２取得部で取得された前記充電実績情報とにもとづいて、前記管理者への支払額を導出する導出部と、
を備えることを特徴とする管理サーバ。
【請求項２】
前記導出部は、前記契約情報に含まれる契約単価が所定の単価より低い場合、前記契約単価と前記充電実績情報とにもとづいて前記ユーザへの課金額を導出する、ことを特徴とする請求項１に記載の管理サーバ。
【請求項３】
前記導出部は、前記契約単価が前記所定の単価以上の場合、前記所定の単価と前記充電実績情報とにもとづいて前記ユーザへの課金額を導出する、ことを特徴とする請求項２に記載の管理サーバ。
【請求項４】
電力供給者と、当該電力供給者から電力が供給されるコンセントの設置場所の管理者との間の電力供給に関する契約情報を取得するステップと、
前記コンセントから供給される電力によるユーザの車両の充電実績情報を取得するステップと、
取得された前記契約情報と、取得された前記充電実績情報とにもとづいて、前記管理者への支払額を導出するステップと、
を備えることを特徴とする情報処理方法。
【請求項５】
電力供給装置と、
前記電力供給装置と通信を行う管理サーバと、を備え、
前記電力供給装置は、
電力供給者から電力が供給されるコンセントと、
前記電力供給者と前記コンセントの設置場所の管理者との間の電力供給に関する契約情報を保持するとともに、前記コンセントから供給される電力によるユーザの車両の充電実績情報を記録する制御装置と、を備え、
前記管理サーバは、
前記契約情報を前記制御装置から取得する第１取得部と、
前記充電実績情報を前記制御装置から取得する第２取得部と、
前記第１取得部で取得された前記契約情報と、前記第２取得部で取得された前記充電実績情報とにもとづいて、前記管理者への支払額を導出する導出部と、
を備えることを特徴とする情報処理システム。
【発明の詳細な説明】
【技術分野】
【０００１】
本発明は、電力の取引に関する情報を管理する管理サーバ、情報処理方法および情報処理システムに関する。
【背景技術】
【０００２】
電気自動車で外出した運転者が、外出先の住宅や店舗などに設置されたコンセントを用いて電気自動車に充電可能なシステムが知られている。特許文献１は、電力供給場所のコンセントから自動車に供給された電力量の情報が、センタ装置から当該自動車の所有者が契約する電力供給者に通知される電力料金課金システムを開示する。このシステムでは、自動車に給電した電力量に応じた料金が自動車の所有者に直接課金され、電力供給場所の管理者に対しては、自動車に給電した電力量を差し引いた差分電力量の料金が課金される。
【先行技術文献】
【特許文献】
【０００３】
【特許文献１】特開２０１０−０７９４５６号公報
【発明の概要】
【発明が解決しようとする課題】
【０００４】
本発明者らは、電力供給場所のコンセントから車両に供給された電力の料金を、電力供給者が電力供給場所の管理者に課金することが好ましい場合があることを認識した。例えば、電力供給場所での電力使用量が所定量より多いことを想定して、電力使用量が所定量より多いほど得なプランを管理者が契約している場合、および、電力使用量に応じて管理者にポイントが付与される場合には、管理者に課金することが好ましい。しかし、車両に供給された電力の料金を単に管理者に課金するだけでは、管理者がその料金を車両のユーザなどに請求する必要があり、管理者の負担が増加する可能性がある。
【０００５】
本発明はこうした状況に鑑みてなされたものであり、その目的は、コンセントの設置場所の管理者の負担を増加させることなく、コンセントから車両に供給された電力の料金を管理者に課金できる管理サーバ、情報処理方法および情報処理システムを提供することにある。
【課題を解決するための手段】
【０００６】
上記課題を解決するために、本発明のある態様の管理サーバは、電力供給者と、当該電力供給者から電力が供給されるコンセントの設置場所の管理者との間の電力供給に関する契約情報を取得する第１取得部と、前記コンセントから供給される電力によるユーザの車両の充電実績情報を取得する第２取得部と、前記第１取得部で取得された前記契約情報と、前記第２取得部で取得された前記充電実績情報とにもとづいて、前記管理者への支払額を導出する導出部と、を備える。
【０００７】
この態様によると、電力供給者と管理者との間の契約情報と、車両の充電実績情報とにもとづいて管理者への支払額を導出するので、管理者の負担を増加させることなく、コンセントから車両に供給された電力の料金を管理者に課金できる。
【０００８】
前記導出部は、前記契約情報に含まれる契約単価が所定の単価より低い場合、前記契約単価と前記充電実績情報とにもとづいて、前記ユーザへの課金額を導出してもよい。
【０００９】
前記導出部は、前記契約単価が前記所定の単価以上の場合、前記所定の単価と前記充電実績情報とにもとづいて、前記ユーザへの課金額を導出してもよい。
【００１０】
本発明の別の態様は、情報処理方法である。この方法は、電力供給者と、当該電力供給者から電力が供給されるコンセントの設置場所の管理者との間の電力供給に関する契約情報を取得するステップと、前記コンセントから供給される電力によるユーザの車両の充電実績情報を取得するステップと、取得された前記契約情報と、取得された前記充電実績情報とにもとづいて、前記管理者への支払額を導出するステップと、を備える。
【００１１】
この態様によると、電力供給者と管理者との間の契約情報と、車両の充電実績情報とにもとづいて管理者への支払額を導出するので、管理者の負担を増加させることなく、コンセントから車両に供給された電力の料金を管理者に課金できる。
【００１２】
本発明のさらに別の態様は、情報処理システムである。この情報処理システムは、電力供給装置と、前記電力供給装置と通信を行う管理サーバと、を備える。前記電力供給装置は、電力供給者から電力が供給されるコンセントと、前記電力供給者と前記コンセントの設置場所の管理者との間の電力供給に関する契約情報を保持するとともに、前記コンセントから供給される電力によるユーザの車両の充電実績情報を記録する制御装置と、を備える。前記管理サーバは、前記契約情報を前記制御装置から取得する第１取得部と、前記充電実績情報を前記制御装置から取得する第２取得部と、前記第１取得部で取得された前記契約情報と、前記第２取得部で取得された前記充電実績情報とにもとづいて、前記管理者への支払額を導出する導出部と、を備える。
【００１３】
この態様によると、電力供給者と管理者との間の契約情報と、車両の充電実績情報とにもとづいて管理者への支払額を導出するので、管理者の負担を増加させることなく、コンセントから車両に供給された電力の料金を管理者に課金できる。
【発明の効果】
【００１４】
本発明によれば、コンセントの設置場所の管理者の負担を増加させることなく、コンセントから車両に供給された電力の料金を管理者に課金できる。
【図面の簡単な説明】
【００１５】
【図１】実施の形態に係る情報処理システムの構成を示すブロック図である。
【図２】図１の管理サーバの構成を示すブロック図である。
【図３】図１の情報処理システムにおける処理を示すシーケンス図である。
【発明を実施するための形態】
【００１６】
図１は、実施の形態に係る情報処理システム１の構成を示す。情報処理システム１は、電力供給装置１０と、課金サーバ１２と、ユーザ端末１４と、管理者端末１６と、管理サーバ１８とを備える。ここでは、１台の電力供給装置１０、１台の管理者端末１６、１台のユーザ端末１４が設けられている一例について説明するが、情報処理システム１は、複数の電力供給装置１０、複数の管理者端末１６、複数のユーザ端末１４を含むことができる。
【００１７】
電力供給装置１０は、例えば、店舗、住宅、会社、駐車場などの施設に設置され、管理サーバ１８に予め登録された複数のユーザのいずれかが所有する車両２０に対して電力を供給可能である。電力供給装置１０は、認証型コンセントとも呼ばれる。電力供給装置１０は、コンセント３０と、制御装置３２とを有する。電力供給装置１０が設置された施設を、コンセント３０の設置場所１００と呼ぶ。
【００１８】
コンセント３０には、電力会社などの電力供給者から電力が供給される。コンセント３０には、充電ケーブルを用いてユーザの車両２０を電気的に接続可能である。車両２０は、車両駆動力を発生する電動機と、電動機を駆動する電力を蓄電する二次電池とを備える電気自動車、ハイブリッド車両などである。コンセント３０から車両２０に電力が供給され、車両２０に搭載された二次電池が充電される。制御装置３２は、管理サーバ１８および課金サーバ１２と有線通信または無線通信を行うとともに、コンセント３０による給電を制御する。
【００１９】
課金サーバ１２は、例えば電力供給者のデータセンタに設置される。課金サーバ１２は、電力供給者からコンセント３０の設置場所１００に供給される電力の電力料金を導出する。導出された電力料金は、コンセント３０から車両２０に供給された電力の電力料金と、電力供給装置１０以外の電気機器などで消費された電力の電力料金を含む。導出された電力料金は、コンセント３０の設置場所１００の管理者に請求される。
【００２０】
ユーザ端末１４は、車両２０のユーザに所有される。ユーザ端末１４は、スマートフォン、携帯電話、タブレット端末、ノートパソコン、ウェアラブル端末などの携帯端末であってもよいし、カーナビゲーションシステムなどとして構成された車載端末であってもよい。
【００２１】
ユーザ端末１４は、管理サーバ１８と無線通信を行う。ユーザ端末１４は、管理サーバ１８から受信した情報にもとづいて、例えば、現在位置付近の複数のコンセント３０の情報を表示する。コンセント３０の情報は、位置および充電可能時間帯などの情報を含む。ユーザ端末１４は、ユーザによるコンセント３０の利用要求の入力を受け付けることができる。利用要求は、例えば、ユーザが指定したコンセント３０を識別する情報を含む。ユーザ端末１４は、受け付けた利用要求を管理サーバ１８に送信する。利用要求には、ユーザを識別する情報が添付される。
【００２２】
管理サーバ１８は、例えばデータセンタに設置され、ユーザ端末１４と電力供給装置１０から送信された情報を処理して、ユーザ認証処理、支払処理および請求処理などを実行する情報処理装置として機能する。管理サーバ１８は、ユーザ端末１４から送信された利用要求にしたがい、ユーザが指定したコンセント３０の電力供給装置１０へロック解除要求を送信する。管理サーバ１８の構成は後述する。
【００２３】
制御装置３２は、ロック解除要求を管理サーバ１８から受信した場合、コンセント３０のロック解除を行う。ロック状態では、コンセント３０に車両２０が接続された場合であっても、制御装置３２はコンセント３０に給電させない。
【００２４】
制御装置３２は、課金サーバ１２から、電力供給者とコンセント３０の設置場所１００の管理者との間の電力供給に関する契約情報を取得し、取得した契約情報を保持する。制御装置３２は、既に契約情報を保持している場合には、課金サーバ１２から契約情報を取得しなくてもよい。契約情報は、単位電力量あたりの料金である契約単価を含む。契約単価は、時間帯ごとに設定されていてもよい。制御装置３２は、保持している契約情報を管理サーバ１８に送信する。管理サーバ１８は、受信した契約情報にもとづく料金情報を、ユーザ端末１４に送信する。
【００２５】
ユーザ端末１４は、利用要求の送信後、指定したコンセント３０の料金情報を管理サーバ１８から受信する。ユーザ端末１４は、料金情報を表示する。ユーザ端末１４で料金情報を確認したユーザは、指定したコンセント３０を利用するか判断できる。料金情報に同意したユーザは、車両２０とコンセント３０を充電ケーブルで接続する。ユーザは、料金情報に同意しなければ、他のコンセント３０を指定することができる。
【００２６】
制御装置３２は、ロック解除された状態でコンセント３０に車両２０が接続された場合、コンセント３０に車両２０への給電を開始させる。制御装置３２は、充電開始から所定時間が経過した場合、車両２０の二次電池が満充電になった場合、ユーザがコンセント３０から充電ケーブルを抜いた場合などに、コンセント３０に車両２０への給電を終了させる。
【００２７】
制御装置３２は、コンセント３０から車両２０に供給される電力による車両２０の充電実績情報を記録する。充電実績情報は、コンセント３０から車両２０に電力が供給された時間である充電時間を含む。制御装置３２は、充電完了後、記録した充電実績情報を管理サーバ１８に送信する。
【００２８】
管理サーバ１８は、充電を行った電力供給装置１０の契約情報と充電実績情報とにもとづいて、管理者への支払額およびユーザへの課金額を導出し、管理者への支払額の支払処理と、ユーザへの課金額の請求処理を行う。管理者への支払額は、コンセント３０から車両２０に供給された電力の料金を補填する額である。管理サーバ１８は、充電料金の領収情報をユーザ端末１４に送信し、管理者への支払額の支払完了情報を管理者端末１６に送信する。
【００２９】
ユーザ端末１４は、充電完了後、領収情報を管理サーバ１８から受信する。管理者端末１６は、管理者が利用する端末である。管理者端末１６は、スマートフォン、携帯電話、タブレット端末、ノートパソコン、ウェアラブル端末などの携帯端末であってもよいし、パーソナルコンピュータなどの据え置き型の端末であってもよい。管理者端末１６は、管理サーバ１８と無線通信を行う。管理者端末１６は、ユーザの充電完了後、支払完了情報を管理サーバ１８から受信する。
【００３０】
図２は、図１の管理サーバ１８の構成を示す。管理サーバ１８は、通信部４０と、処理部４２とを備える。処理部４２は、第１取得部５０と、第２取得部５２と、導出部５４と、支払処理部５６と、請求処理部５８とを備える。
【００３１】
通信部４０は、ユーザ端末１４と無線通信を行う。通信部４０は、管理者端末１６および電力供給装置１０と有線通信または無線通信を行う。通信部４０は、ユーザ端末１４から利用要求を受信し、受信した利用要求を処理部４２に出力する。処理部４２は、利用要求に添付されたユーザを識別する情報にしたがい、ユーザ認証を行う。処理部４２は、ユーザ認証を完了した場合、利用要求に含まれるコンセント３０を識別する情報にもとづいて、通信部４０を介して、ユーザが指定したコンセント３０の電力供給装置１０へロック解除要求を送信する。
【００３２】
通信部４０は、ユーザが指定したコンセント３０の電力供給装置１０から契約情報を受信する。第１取得部５０は、通信部４０で受信された契約情報を取得する。これは、第１取得部５０が、電力供給装置１０の制御装置３２から契約情報を取得することに相当する。
【００３３】
処理部４２は、第１取得部５０で取得された契約情報に含まれる契約単価が所定の単価より低い場合、通信部４０を介して、ユーザのユーザ端末１４へ契約単価にもとづく料金情報を送信する。処理部４２は、契約単価が所定の単価以上の場合、通信部４０を介して、ユーザのユーザ端末１４へ所定の単価にもとづく料金情報を送信する。所定の単価は、例えば、管理サーバ１８の所有者、すなわち充電サービスの提供者によって予め設定される。
【００３４】
通信部４０は、ユーザが指定したコンセント３０の電力供給装置１０から充電実績情報を受信する。第２取得部５２は、通信部４０で受信された充電実績情報を取得する。これは、第２取得部５２が、電力供給装置１０の制御装置３２から充電実績情報を取得することに相当する。
【００３５】
導出部５４は、第１取得部５０で取得された契約情報と、第２取得部５２で取得された充電実績情報とにもとづいて、管理者への支払額を導出する。例えば、導出部５４は、契約情報に含まれる契約単価と、充電実績情報に含まれる充電時間とを所定の計算式に代入して、管理者への支払額を導出できる。
【００３６】
導出部５４は、契約情報に含まれる契約単価が所定の単価より低い場合、契約単価と充電実績情報とにもとづいて、ユーザへの課金額を導出する。導出部５４は、契約単価が所定の単価以上の場合、所定の単価と充電実績情報とにもとづいて、ユーザへの課金額を導出する。
【００３７】
支払処理部５６は、導出された支払額の管理者への支払処理を行い、通信部４０を介して支払完了情報を管理者端末１６へ送信する。請求処理部５８は、導出された課金額のユーザへの課金処理を行い、通信部４０を介して領収情報をユーザ端末１４へ送信する。支払処理と課金処理は、周知の技術にもとづいて実行できる。
【００３８】
処理部４２の構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００３９】
次に、以上の構成による情報処理システム１の全体的な動作を説明する。図３は、図１の情報処理システム１における処理を示すシーケンス図である。
【００４０】
まず、ユーザ端末１４は、利用要求を管理サーバ１８へ送信する（Ｓ１０）。管理サーバ１８は、利用要求にしたがい、ロック解除要求を電力供給装置１０へ送信する（Ｓ１２）。電力供給装置１０は、ロック解除要求にしたがいロック解除を行う（Ｓ１４）。
【００４１】
電力供給装置１０は、課金サーバ１２に契約情報の確認を行う（Ｓ１６）。課金サーバ１２は、契約情報を電力供給装置１０に送信する（Ｓ１８）。電力供給装置１０は、契約情報を管理サーバ１８に送信する（Ｓ２０）。管理サーバ１８は、料金情報をユーザ端末１４に送信する（Ｓ２２）。
【００４２】
料金情報に同意したユーザが車両２０とコンセント３０を充電ケーブルで接続すると、電力供給装置１０は、車両２０の充電を開始する（Ｓ２４）。電力供給装置１０は、所定の場合に車両２０の充電を完了する（Ｓ２６）。電力供給装置１０は、充電実績情報を管理サーバ１８に送信する（Ｓ２８）。
【００４３】
管理サーバ１８は、契約情報と充電実績情報とにもとづいて、管理者への支払額およびユーザへの課金額を導出し、支払処理と請求処理を行う（Ｓ３０）。管理サーバ１８は、領収情報をユーザ端末１４に送信し（Ｓ３２）、支払完了情報を管理者端末１６に送信する（Ｓ３４）。
【００４４】
本実施の形態によれば、電力供給者と管理者との間の契約情報と、車両２０の充電実績情報とにもとづいて管理者への支払額を導出するので、管理者の負担を増加させることなく、コンセント３０から車両２０に供給された電力の料金を管理者に課金できる。
【００４５】
つまり、コンセント３０から車両２０に供給された電力の料金に相当する支払額が管理者に補填されるので、管理者は、コンセント３０から車両２０に供給された電力の料金をユーザまたは管理サーバ１８の所有者に対して請求する手間を要しない。
【００４６】
管理者は、自身の契約にしたがってコンセント３０から車両２０に電力を供給できる。よって、コンセント３０の設置場所１００での電力使用量が所定量より多いことを想定して単価が低いプラン、例えば電力使用量が所定量より多いほど得であるプランを管理者が契約している場合、および、電力使用量に応じてポイントが付与される場合には、コンセント３０から車両２０に供給される電力も管理者の電力使用量に加算されるので、管理者の利益を高めることができる。
【００４７】
電力供給者は、コンセント３０に供給する電力を区別することなく、管理者の施設に供給した電力量に応じた電力料金を管理者に課金すればよく、電力供給装置１０が設置されていない施設と同様に電力料金を導出できる。よって、電力供給者は、電力供給先の施設に電力供給装置１０が設置されているか否か把握する必要もなく、電力供給者の負担を増加させる恐れがない。
【００４８】
また、契約単価が所定の単価より低い場合、契約単価と充電実績情報とにもとづいてユーザへの課金額を導出するので、契約単価が低いコンセント３０で充電することで、ユーザは安価に充電できる。
【００４９】
また、契約単価が所定の単価以上の場合、所定の単価と充電実績情報とにもとづいてユーザへの課金額を導出するので、契約単価が高いコンセント３０で充電する場合においても、ユーザは契約単価と所定の単価との差額を負担することなく充電できる。
【００５０】
以上、実施の形態をもとに本発明を説明した。実施の形態はあくまでも例示であり、各構成要素や各処理プロセスの組合せにいろいろな変形例が可能なこと、またそうした変形例も本発明の範囲にあることは当業者に理解されるところである。
【００５１】
例えば、導出部５４は、契約単価と所定の単価との関係によらず、契約単価と充電実績情報とにもとづいてユーザへの課金額を導出してもよい。この変形例では、管理サーバ１８の所有者の金銭的な負担を抑制できる。
【００５２】
導出部５４は、契約情報によらず、所定の単価と充電実績情報とにもとづいてユーザへの課金額を導出してもよい。この変形例では、ユーザはどのコンセント３０を選択しても同じ単価で充電できるため、特定のコンセント３０に利用が集中する状況を抑制できる。
【００５３】
充電実績情報は、コンセント３０から車両２０に供給された電力量を含んでもよい。この場合、導出部５４は、契約情報に含まれる契約単価と、充電実績情報に含まれる電力量とを所定の計算式に代入して、管理者への支払額を導出してもよい。この変形例では、情報処理システム１の構成の自由度を向上できる。
【符号の説明】
【００５４】
１…情報処理システム、１０…電力供給装置、１２…課金サーバ、１４…ユーザ端末、１６…管理者端末、１８…管理サーバ、２０…車両、３０…コンセント、３２…制御装置、４０…通信部、４２…処理部、５０…第１取得部、５２…第２取得部、５４…導出部、５６…支払処理部、５８…請求処理部、１００…設置場所。
【図１】
2019204159.tif 000003
【図２】
2019204159.tif 000004
【図３】
2019204159.tif 000005